(57)【要約】【解決手段】  ゴーグル／フェイスマスクレンズ（１０）は、光学補正された第１の領域（１６Ａ）と周辺部の第２の領域（１１）とを含む。【選択図】      図３
2007530150.tif 000002
【特許請求の範囲】
【請求項１】
レンズであって、
第１の領域と第２の領域とを有し、
前記第１の領域は、着用者の眼の正面に少なくとも一部分が位置する主要視界領域を有し、
前記第２の領域は、主要視界として必要とされない領域に位置する周辺視界領域を有し、
前記第１の領域および第２の領域は互いに接合されており、
前記第１の領域は光学補正されたレンズを有するものである
レンズ。
【請求項２】
請求項１記載のレンズにおいて、前記第１の領域は円柱レンズ部分を有し、この円柱レンズ部分は、光が当該レンズ部分を通過する際に生じるプリズム屈折を相殺するものである。
【請求項３】
請求項１記載のレンズにおいて、前記第１の領域は上部および下部を有し、各部分に異なる光学補正形状が適用されているものである。
【請求項４】
請求項１記載のレンズにおいて、
前記第２の領域は前記レンズの各側面の少なくとも１つの部分を有するものであり、
各部分は前記第１の領域の曲率半径よりも小さい曲率半径で当該第１の領域から延出してカバーするものである。
【請求項５】
請求項１記載のレンズにおいて、前記第２の領域は光学補正がされていないものである。
【請求項６】
請求項１記載のレンズにおいて、前記第２の領域は光学補正がされているものである。
【請求項７】
請求項１記載のレンズにおいて、このレンズは、さらに、
前記主要領域の最上部より延出する第３の領域と、
前記主要領域の最下部より延出する第４の領域とを有し、
前記第３の領域および前記第４の領域はシールドを形成するものである。
【請求項８】
請求項１記載のレンズにおいて、このレンズは、さらに、
フレームを有し、当該フレームの少なくとも一部はレンズ品質の素材を有するものである。
【請求項９】
請求項８記載のレンズにおいて、前記第２の領域は前記フレームの少なくとも一部を有するものである。
【請求項１０】
請求項１記載のレンズにおいて、前記第１の領域および前記第２の領域は、同一の素材から構成されており、当該第１の領域と当該第２の領域との間には継目がないものである。
【請求項１１】
請求項１記載のレンズにおいて、
前記第１の領域と前記第２の領域とは中間領域において重複するものであり、
前記中間領域は前記第１の領域の光学補正とは異なる光学補正を有するレンズを含むものである。
【請求項１２】
請求項１記載のレンズにおいて、前記着用者の瞳孔から前記第１の領域までの距離は、約０．８６インチ〜約１．０６インチである。
【請求項１３】
請求項１記載のレンズにおいて、前記着用者の一方の眼の外端から前記着用者のもう一方の眼の外端までの距離の全幅は約９．０インチ〜約９．５インチである。
【請求項１４】
レンズであって、
光学補正された第１の領域と、
着用時に個人の周辺視界領域内に位置する領域に位置する第２の領域とを有し、
前記第１の領域および前記第２の領域は互いに接合されているものである
レンズ。
【請求項１５】
請求項１４記載のレンズにおいて、前記第２の領域は光学補正がされていないものである。
【請求項１６】
請求項１４記載のレンズにおいて、前記第２の領域は光学補正がされているものである。
【請求項１７】
請求項１４記載のレンズにおいて、前記第１の領域は上部および下部を有し、各部分に異なる光学補正形状が適用されているものである。
【請求項１８】
請求項１４記載のレンズにおいて、
前記第１の領域と前記第２の領域とは中間領域において重複するものであり、
前記中間領域は前記第１の領域の光学補正とは異なる光学補正を有するレンズを含むものである。
【請求項１９】
請求項１４記載のレンズにおいて、前記着用者の瞳孔から前記第１の領域までの距離は、約０．８６インチ〜約１．０６インチである。
【請求項２０】
請求項１４記載のレンズにおいて、前記着用者の一方の眼の外端から前記着用者のもう一方の眼の外端までの距離の全幅は約９．０インチ〜約９．５インチである。
【発明の詳細な説明】
【技術分野】
【０００１】
本出願は、２００４年３月２２日に提出された米国特許仮出願第６０／５５５，６１０号明細書および２００４年１２月１日に提出された米国特許仮出願第６０／６３２，５９７号明細書に対して優先権を主張し、これらの特許出願はこの参照により組み込まれるものである。
【０００２】
本明細書に含まれる記載は、一般にゴーグルおよびフェイスマスクに関するものである。より具体的には、本明細書に含まれる記載は、幅広な周囲部を有するゴーグル／フェイスマスクの設計およびレンズ形状に関するものである。
【背景技術】
【０００３】
幅広な周囲部を有するゴーグルおよびフェイスマスクには、スキー、軍事使用、モトクロス、水中潜水用マスクを含む多様な用途と、溶接および電力技師などのための様々な産業安全上の用途がある。通常、幅広な周囲部を有するゴーグル／フェイスマスクのレンズは、着用者の顔面に沿って湾曲するレンズ部分を有し、このレンズ部分によって、当該レンズの全幅を大幅に広げることなく、着用者の周辺視界が向上する。このようなレンズには、通常、レンズの内面および外面に光学的調整がされた円柱レンズまたはポラリックエリプソイド（トーリック）レンズ（ｐｏｌａｒｉｃ  ｅｌｌｉｐｓｏｉｄ（ｔｏｒｉｃ）ｌｅｎｓｅｓ）のいずれかが含まれ、当該レンズによって、着用者の眼に対する光屈折およびレンズ位置が補正される。
【０００４】
円柱レンズは、少なくとも一部が円柱の一部のような形状をしている。円柱レンズは、画像を拡大し、光を集束する正の焦点距離を提供するために平凸形状で使用されるか、若しくは、負の補正によって画像を縮小または光を拡散する平凹形状を有する場合がある。
【０００５】
トーリックエリプソイドレンズは、軸を中心として長手方向に対して直角の孤の回転に対応する非球面形状を有する。円柱レンズ形状およびポラリックエリプソイド（トーリック）レンズ形状は先行技術において入手可能であるが、周辺視界領域に大幅に追加する必要のあるレンズの全体的なサイズため、着用者の視界は特に周辺視界領域において制限される。このように、ヒトの頭部に対してレンズの形状が適合しないため、「視野狭窄効果」が生じる。これによって、着用者は良好な周辺視界を有することが困難になり、また、照準レンズまたは照準視界を通したある角度を見ている間ゴーグル／フェイスマスクを使用できるような良好な「クロスビュー（ｃｒｏｓｓ  ｖｉｅｗｉｎｇ）」を得ることができない。
【０００６】
さらに、円柱レンズおよびトーリックレンズの双方において、着用者の周辺視界を改善するためには、前記ゴーグル／フェイスマスクの全体サイズを大きくする必要がある。ヘルメット、ヘッドフォンオーディオシステム、および軍事用途に使用される「ドロップダウン式」暗視装置などの他の着用ギアおよび装置による拘束が伴う場合、このように全体サイズを大きくすると、前記ゴーグル／フェイスマスクは非常に着用し難く、非実用的になる。
【０００７】
従来の幅広な周囲部を有するゴーグル／フェイスマスクレンズの別の問題点は、現在の円柱レンズおよびトーリックレンズの形状では、当該ゴーグル／フェイスマスクの側面サイズおよび形状寸法の双方を大幅に広げずに強化視界領域、特に、度付きメガネを前記ゴーグル／フェイスマスクの下に快適に適合させることができる領域を確保することができないことである。
【０００８】
上述事項を鑑みると、主要視界領域において着用者の周辺視界領域を向上すると同時に、前記周辺視界領域に見え易さを維持するゴーグル／フェイスマスクレンズの形状が必要とされる。
【発明の開示】
【課題を解決するための手段】
【０００９】
１実施形態において、レンズは互いに接合された第１の領域と第２の領域を含む。前記第１の領域は、着用者の眼の正面に少なくとも一部分が位置する主要視界領域と、光学補正されたレンズとを含み、前記第２の領域は、主要視界として必要とされない領域に位置する周辺視界領域を含む。選択的に、前記第１の領域は円柱レンズ部分を有し、この円柱レンズは、光が当該円柱レンズ部分を通過する際に生じるプリズム屈折を相殺する。一部の実施形態においては、前記第１の領域は上部および下部を含み、各部分に異なる光学補正形状が適用されている場合もある。前記第２の領域は、レンズの各側面の少なくとも一部分から成り、前記部分は、前記第１の領域の曲率半径よりも小さい曲率半径で当該第１の領域から延出してカバーする。前記第２の領域には光学補正がされている場合とされていない場合がある。また、選択的に、シールドを形成する第３の領域および第４の領域があることもあり、この場合、前記第３の領域は前記主要領域の上部から延出し、前記第４の領域は前記主要領域の下部から延出している。また、前記レンズはフレームを含むこともあり、この場合、前記フレームの少なくとも一部はレンズ品質の素材からできており、且つ選択的に、前記レンズの前記第２の領域に前記フレームの少なくとも一部が含まれていることがある。前記レンズの前記第１および第２の領域は、同領域間に継目のない同一の素材から構成されてもよい。また、前記レンズは、前記第１の領域が前記第２の領域と重複する中間領域を含み、且つ前記中間領域が前記第１の領域の光学補正とは異なる光学補正を有するレンズを含んでもよい。一部の実施形態において、着用者の瞳孔から前記第１の領域までの距離は約０．８６インチ〜約１．０６インチの間である。一部の実施形態において、着用者の一方の眼の外端から着用者のもう一方の眼の外端までの距離から成る全幅は約９．０インチ〜約９．５インチの間である。
【００１０】
別の実施形態において、レンズは光学補正され、互いに接合された第１の領域および第２の領域を含み、この場合、前記第２の領域は、個人が前記レンズを着用した際に当該個人の周辺視界領域内に位置する領域に位置付けられている。前記第２の領域には光学補正がされている場合とされていない場合がある。一部の実施形態では、前記第１の領域は上部および下部を含み、各部分に異なる光学補正形状が適応されている場合もある。また、前記レンズは前記第１の領域が前記第２の領域と重複する中間領域を含み、且つ前記中間領域が前記第１の領域の光学補正とは異なる光学補正を有するレンズを含んでもよい。一部の実施形態において、着用者の瞳孔から前記第１の領域までの距離は約０．８６インチ〜約１．０６インチの間である。一部の実施形態において、着用者の一方の眼の外端から着用者のもう一方の眼の外端までの距離から成る全幅は約９．０インチ〜約９．５インチの間である。
【発明を実施するための最良の形態】
【００１１】
本装置および方法を説明するに際して、本発明は説明する特定の工程、装置または方法に限定されるものではなく、これらの工程、装置または方法は変更される可能性があるものと理解されるものである。また、本記載に用いられる用語は、特定の変形態または実施形態を説明する目的のみのものであり、本発明の範囲を限定することを意図するものではなく、本発明は添付の特許請求の範囲よってのみ限定されることも理解される。
【００１２】
また、単数形の「ａ」、「ａｎ」および「ｔｈｅ」は、本明細書および前記添付の特許請求の範囲において使用される場合、文脈から別段の意味が明示されている場合を除き、複数の言及を含むものである。
【００１３】
別段に定義されている場合を除き、本明細書で使用する技術用語および科学用語はすべて、当業者が通常理解している意味と同様の意味を有する。例えば、「ゴーグル」への言及は、任意のゴーグル、フェイスマスク若しくは、透明シールドまたは他のシースルーシールドを有する別の装置を含む。本明細書で説明する方法および素材に類似した、若しくは均等である任意の方法および素材が、本明細書で説明する実施形態の実施、若しくは検証に使用される可能性もある。本明細書で言及する公報のすべては、この参照により、それらの全体が本明細書に組み込まれるものである。本明細書の記載の一切は、先行発明による当該開示に本発明が先行する権利を有さないという自認として解釈されるべきではない。
【００１４】
図１〜図４を参照すると、１実施形態に従って構成されたゴーグル／フェイスマスクレンズが図示されている。前記ゴーグル／フェイスマスクレンズは、互いに接合された少なくとも２つの領域を有する、シールドに類似したレンズを含む。用語「互いに接合された」は、前記領域が一体であり、一体型レンズが２若しくはそれ以上の領域を形成することを意味するか、若しくは前記領域は中間に継目がある個別の部分であることを意味する。第１の領域１６は、「主要視界領域」と呼ばれる光学補正された、主に円柱レンズの部分を含む。この主要視界領域１６は、主に着用者の眼の正面領域に位置する。第２の領域１１は、「周辺視界領域」と呼ばれる光学補正がされていない、若しくは負の補正、特に僅かな負の補正がされたレンズ領域を含む。各周辺視界領域１１は、通常、着用者の眼の端の近接部から始まり、選択的に、主要視界領域が終了する場所である、着用者の顔面の眼と耳との間から始まり、さらに主要視界には必要とされないレンズ領域を含む。前記周辺視界領域１１は、前記主要視界領域１６から着用者の頭部の周囲（添付の図面には図示せず）まで継続する場合もある。前記周辺視界領域１１が完全に「包囲」する長さに関しては制限はなく、望ましい場合は前記周辺領域は着用者の頭部後方まで包囲する場合もあり、若しくは、前記図で示したように途中の任意の長さで終端する場合もある。前記ゴーグル／フェイスマスクが着用された場合、前記主要視界領域１６は、少なくとも、着用者の各眼からの通常の正面一直線上の視界に渡る幅を有し、各周辺視界領域１１は、少なくとも着用者の視界の周辺域に渡る幅を有する必要がある。図1〜図４の点線は、当該部分の間または内部の選択的な継目を示す。
【００１５】
図５が示すように、前記レンズ１０は、選択的に１若しくはそれ以上の付加的な縁部領域１２を含み、この縁部領域１２は、前記主要視界領域１６から、選択的にシールドのような形で、上向きおよび/または下向きに配置されている。前記縁部領域１２は、図５で示すように、個別の部分から成るか、若しくは前記主要視界領域１６の最上部および/または最下部において一体型の縁部を形成する場合もある。前記縁部領域１２は、前記主要視界領域１６に対して平行であってもよいし、図５で示すように、前記主要視界領域１６に対して一定の角度で配置されてもよい。
【００１６】
１実施形態の主要視界領域１６は、実質的に二重の円柱状断面を含み、内側および外側の円柱形状は光学補正された部分を有するよう設計されている。光学補正は選択的であるが、レンズの相対曲率または相対平面度によっては補正が必要でない場合もある。前記光学補正された部分は、光が円柱レンズ部分を通過する際に生じるプリズム屈折の一部または全てを相殺する効果がある。例えば、１実施形態において、前記主要視界領域１６は、レンズの中心（すなわち、着用者の瞳孔の正面部分）が前記瞳孔の上部または下部よりも薄くなるような平凹形状を有することで負の補正を提供する。但し、平凸形状、両凸形状、両凹形状、トーリック形状または凹凸形状などの他の形状も可能である。前記光学補正は、着用者が長期間レンズを通して見ることによって過度の眼精疲労または他の眼の不快感を経験するのを防ぐ効果がある。光学補正された部分の正確な形状は着用者の個人的な必要性に応じて調整される。選択的に、前記主要視界領域は、下部と比べて上部では異なる光学補正の特性を有する場合もある。
【００１７】
また、図３で示した代替実施形態において、前記主要視界領域１６は、少なくとも２つの光学補正されたレンズ形状の区域を有する場合がある。第１の区域１６Ａは、一方の眼の正面におけるプリズム屈折の一部または全てを補正するための、二重円柱など任意の光学補正された断面を有し、第２の区域１６Ｂは他方の眼のために同様の部分を含む。選択的に、カスタマイズされた度付きレンズの挿入部を１６Ａおよび１６Ｂの各部分に取着してもよい。また、前記主要視界領域１６は、前記補正部分１６Ａおよび１６Ｂとは異なる光学補正を有する、若しくは光学補正がされていない上部１７Ａ、１７Ｂおよび下部１８Ａ、１８Ｂを選択的に含む場合もある。選択的に、部分１８Ａおよび１８Ｂを下方に延出して着用者の鼻部にシールドを提供することが可能である。
【００１８】
前記周辺視界領域１１は、主要視界領域として必要とされないレンズ領域から成り、着用者の空間認識および周辺部の視認性を高めるのに役立つ。１実施形態において、前記周辺視界領域１１は、図１〜図４で示したように（前記レンズの側面領域）、少なくとも２つの部分を有し、この２つの部分は前記主要視界領域１６の実質的に円柱状の断面から後方に向かって包囲する。前記周辺視界領域１１は、前記主要視界領域の実質的に円柱状の部分における曲率半径よりも小さい曲率半径で、当該主要視界領域１６の中心から後方に向かって、若しくは延出してカバーする。これにより、前記周辺視界領域に前記実質的に円柱状の部分を継続する必要なしに周辺部の視界を向上することが可能となるため、レンズが厚くなって顔面から必要以上に離れ、前記ゴーグル／フェイスマスクが着用者に不快感を与えることを防ぐのに役立つ。
【００１９】
図５〜図６で示した１実施形態において、前記周辺視界領域はまた、前記主要視界領域の下部および／または上部に配置され、選択的にシールドに類似した構造である２若しくはそれ以上の部分１２を含む。このような部分１２は、鈍角、鋭角または直角、さらに曲率半径を含む（これに限定されるものではない）様々な曲率で前記主要視界領域から延出してカバーする。１代替実施形態では、前記部分１２は、前記主要視界領域と実質的に平行である場合もある。
【００２０】
１実施形態において、着用者が横方向を見る際の視界を向上させるために、前記周辺視界領域１１に僅かな負の補正などの補正を行う場合がある。このように、着用者の眼が横方向に向いたとき、前記主要視界領域と前記周辺視界領域との間の変わり目において発生する可能性がある光学的歪みが前記僅かな負の力によって最小限になる。すなわち、１実施形態において、着用者が横方向を見たとき、当該周辺視界領域１１に近い方の眼は前記負の補正を利用して、前記主要視界領域レンズの（レンズの平面度によって）僅かに正の補正がされた、または補正がされていない部分を通して見ている遠い方の眼との均衡を保つ。１実施形態において、前記主要視界領域のサイズを変更せずに前記周辺視界領域１１のサイズを延出することが可能である。これにより、基本レンズ形状を１つに統合して、同一の主要視界領域を伴う多様なゴーグル／フェイスマスクの設計を行うことが可能となる。
【００２１】
前記ゴーグル／フェイスマスクのレンズ領域は、図３で示したような縁部領域に含まれる、曇りおよび埃防止用換気システム１３などの対応ヘッドギアの様々な設計パラメータに適合するような形状に設計されている場合がある。さらに、前記レンズ１０は、図３で示したように、フレームを嵌入するための刻み目１４または他の機能を含む場合もある。添付の図面で示した刻み目の位置、数、および形状は例示的なものであり、フレームのサイズおよび形状に応じて任意の位置、数または形状を使用することが可能である。選択的に、フレームが全くないこともあり、その場合は刻み目は不必要である。また、選択的に、フレームはレンズを嵌入する溝を含み、それによっても刻み目１４は不必要となる。前記フレームは、ゴーグル、ヘルメットまたは他のヘッドギアの形状である可能性がある。前記フレームは、前記ゴーグルが着用者の耳に掛かるように設計されている周辺部分を含むこともあるので、実際選択的である。前記レンズ領域の厚さは着用者個人の必要に応じて変更される。
【００２２】
前記主要視界領域１６および前記周辺視界領域１１は、レンズ形状内の当該主要視界領域１６が光学補正された周辺視界領域１１に移行する点で互いに接合されている場合がある。図７で示すように、１実施形態において、この移行は、成人用レンズの場合、前記主要視界領域１６の中心または着用者の鼻部２２から約２インチ〜約２．７５インチの距離３４で起る。着用者の視点から見ると、１実施形態において、前記周辺視界領域は、通常、当該周辺視界領域１１に近い方の着用者の眼２０が、当該着用者の正面の視界に対して垂直な線から約２０度の角度３２を成す点から始まる。選択的に、前記主要視界領域１６が前記補正された周辺視界領域と重複する場所に生じる「中間領域」があることもある。１実施形態において、前記レンズ１０の全幅３０は約９インチ〜約９．５インチである。これにより、通常約７．５インチ幅を有する典型的なゴーグル／フェイスマスクと比較すると周辺部の視界が向上する。
【００２３】
図７および図８で図示する１実施形態において、前記レンズの主要視界領域１６は、比較的平ら（すなわち、僅かに湾曲しているのみ）であり、度付きメガネの上に快適に適合することが可能なサイズである。１実施形態において、着用者の瞳孔から前記主要視界領域１６までの側面距離３８（すなわち、前記ゴーグル／フェイスマスクが顔面からどの程度離れているか）は、約０．８６インチ〜約１．０６インチであり、約０．９６５インチ離れているのが理想的である。１実施形態において、着用者の顔面から前記周辺視界領域の最上部までの距離４０は約０．４インチ〜約０．６インチである。本実施形態は、通常軍事用途に使用される「ドロップダウン式」暗視装置を使用するための空間を可能にするレンズ形状を有する。換気システムを可能にするため、および／またはヘルメットを前記ゴーグル／フェイスマスクと共に着用することを可能にするため、１実施形態において、着用者の瞳孔の中心から前記レンズの上縁部までの距離３６を約１．７３４インチとすることがあるが、着用者の必要に応じてこの距離はより短くなる場合もあり、より長くなる場合もある。前記レンズの（すなわち、着用者の瞳孔の中心から前記レンズの下縁部までの距離）には制限はなく、望ましい場合は顔面下方に延出することが可能である。
【００２４】
図９で示す１実施形態において、前記ゴーグル／フェイスマスクのレンズは、着用者が頭部に着用した位置でレンズを支持するよう構成された取り付けフレーム１５に含まれている。前記フレームは、任意の様々な金属、複合材、比較的剛性のある成形済み熱可塑性材料、または当該技術分野で公知の他の素材から成る可能性があり、また、透明である場合、あるいは任意の様々な色を有する可能性がある。１実施形態において、前記フレームの少なくとも一部は、着用者の顔面または頭部に適合可能な程度に軟質で柔軟性のあるレンズ品質の素材からできている。１実施形態において、前記フレームは、比較的柔軟性、弾性のある素材で構成されており、この素材は変形して着用者の頭部へ容易に適用することが可能であるが、成形形状に復元して前記レンズを望ましい位置に維持する。レンズが不透明または僅かに半透明のフレームに含まれている典型的なゴーグル／フェイスマスクのアセンブリとは異なり、本実施形態の周辺視界領域には、ゴーグル／フェイスマスクのフレーム自体の一部が含まれているため、着用者の空間認識および周辺部への視認性を高める。前記レンズは、フレームを嵌入する切欠または刻み目、さらに、曇り防止のために使用される換気システムを含む場合がある。
【００２５】
前記ゴーグル／フェイスマスクを、クラウンガラス、フリントガラス複合材、若しくはアクリル、非晶質ポリオレフィン、ポリカーボネート、溶融石英、および／またはポリスチレンを含む（これらに限定されるものではない）当該技術分野で公知の、比較的剛性のある成形済み熱可塑性材料などの任意の様々なレンズ品質の材料で形成してもよく、また前記ゴーグル／フェイスマスクは透明、薄色付き、または任意の様々な色付きであってもよい。選択的に、前記レンズを飛散防止材料または耐破損性材料で形成してもよい。選択的に、前記レンズの一部または全体を、当業者に公知の反射防止膜および／または傷防止膜で塗被してもよい。このような塗膜は物理蒸着法、スパッタリングなど当該技術分野で公知の任意の処理を利用して塗付することが可能である。
【００２６】
１実施形態において、前記主要視界領域および前記周辺視界領域は、同一のレンズ素材で構成されており、当該主要視界領域と当該周辺視界領域との間には継目がない。また、これは必須要件ではないが、前記主要領域および周辺領域は異なるレンズ素材で構成されている場合もある。前記ゴーグル／フェイスマスクレンズは、射出成形などの当該技術分野で公知の任意の処理によって製造することが可能である。成形後、当該技術分野で周知の標準的なレンズ製造手順を利用して、前記ゴーグル／フェイスマスクレンズを光学的補正のために機械加工することが可能である。
【００２７】
様々な実施形態について説明してきたが、当業者であれば、本発明の要旨から逸脱しない範囲内で本発明の要素に様々な変更を行うことが可能であり、若しくは本発明の要素を均等物に代替することが可能であるものと理解するものである。さらに、特定の状況または素材を本明細書の教示に適応させるために、本発明の本質的な範囲から逸脱することなく、様々な修正が行われる可能性がある。従って、本発明は、本発明を実施するために考えられる最良の形態として開示された特定の実施形態に限定されることを意図するものではなく、前記開示は、添付の特許請求の範囲の要旨の範囲に該当する実施形態全てを含むことを意図するものである。
【図面の簡単な説明】
【００２８】
【図１】図１は、レンズの１実施形態の斜視図である。
【図２】図２は、ゴーグルレンズの１実施形態の上面図である。
【図３】図３は、ゴーグルレンズの１実施形態の正面図である。
【図４】図４は、ゴーグルレンズの１実施形態の背面斜視図である。
【図５】図５は、ゴーグルレンズの１代替実施形態の上面図である。
【図６】図６は、ゴーグルレンズの１代替実施形態の側面図である。
【図７】図７は、ゴーグルレンズの１実施形態の寸法を図示した上面図である。
【図８】図８は、ゴーグルレンズの１実施形態の正面図である。
【図９】図９は、ゴーグルレンズの１実施形態の周囲部を図示するものである。
【図１】
2007530150.tif 000003
【図２】
2007530150.tif 000004
【図３】
2007530150.tif 000005
【図４】
2007530150.tif 000006
【図５】
2007530150.tif 000007
【図６】
2007530150.tif 000008
【図７】
2007530150.tif 000009
【図８】
2007530150.tif 000010
【図９】
2007530150.tif 000011
【国際調査報告】
2007530150.tif 000012
2007530150.tif 000013
2007530150.tif 000014